(57)【特許請求の範囲】
【請求項１】
原稿画像を読取り、画像データを発生する読取手段と、
複数の画像編集モードから所望の画像編集モードを選択するための選択画面を表示する表示手段と、
前記読取手段によって読取られた画像の種別を判別する判別手段と、
前記判別手段によって判別された種別に応じて、複数の選択画面から１つの選択画面を選択し、選択した当該選択画面を前記表示手段に表示させる表示制御手段と、
前記表示手段に表示された選択画面から選択された画像編集モードに応じて、前記読取手段から出力される画像データに対して画像処理を施す画像編集手段とを備え、
前記複数の選択画面の１つは、他の選択画面にない画像編集モードを選択肢として含む、画像処理装置。
【請求項２】
前記判別手段は、画像がカラー画像か、モノカラー画像かを判別する、請求項１に記載の画像処理装置。
【請求項３】
前記判別手段は、画像が写真画像か文字画像かを判別する、請求項１に記載の画像処理装置。
【請求項４】
前記読取手段によって読取られる原稿の向きを判別する判別手段と、
前記判別手段によって判別された原稿の向きに基づいて、前記読取手段から出力される画像データを回転させる回転手段と、
前記回転手段によって回転させた画像データに基づいて、原稿画像を表示する原稿画像表示手段とをさらに備えた、請求項１に記載の画像処理装置。
【請求項５】
第１画像と第２画像とを同時に表示する画像表示手段と、
前記第１画像と前記第２画像の面積を算出する手段と、
前記算出された面積を比較する比較手段と、
前記比較手段による比較結果に基づいて、前記第１画像と前記第２画像のうち一方の画像を他方の画像に対して優先して表示するように前記画像表示手段を制御する制御手段とをさらに備えた、請求項１に記載の画像処理装置。
【発明の詳細な説明】
【０００１】
【発明の属する技術分野】
この発明は画像処理装置に関し、特に原稿画像を読取り、読取られた原稿画像を加工し、プリント出力する画像処理装置に関する。
【０００２】
【従来の技術】
従来より原稿を画像データとして読取り、その読取られた画像データを画面上に表示し、その表示に基づいて編集などの処理を行なう画像処理装置が知られている。
【０００３】
【発明が解決しようとする課題】
この発明はそのような従来の画像処理装置の使い勝手を向上させることをその目的としている。
【０００４】
【課題を解決するための手段】
上記目的を達成するため、この発明のある局面に従うと、画像処理装置は、原稿画像を読取り、画像データを発生する読取手段と、複数の画像編集モードから所望の画像編集モードを選択するための選択画面を表示する表示手段と、読取手段によって読取られた画像の種別を判別する判別手段と、判別手段によって判別された種別に応じて、複数の選択画面から１つの選択画面を選択し、選択した当該選択画面を表示手段に表示させる表示制御手段と、表示手段に表示された選択画面から選択された画像編集モードに応じて、読取手段から出力される画像データに対して画像処理を施す画像編集手段とを備え、複数の選択画面の１つは、他の選択画面にない画像編集モードを選択肢として含む。
【０００５】
この発明に従うと、読取られた画像の種別が判別され、判別された種別に応じて選択画面が選択され、選択画面が表示手段に表示されるため、オペレータは必要な事項が記載された選択画面を見ることができる。これにより画像処理装置の使い勝手が向上する。
【０００６】
さらに好ましくは、判別手段は、画像がカラー画像か、モノカラー画像かを判別する。
【０００７】
さらに好ましくは、判別手段は、画像が写真画像か文字画像かを判別する。
さらに好ましくは、画像処理装置は、読取手段によって読取られる原稿の向きを判別する判別手段と、判別手段によって判別された原稿の向きに基づいて、読取手段から出力される画像データを回転させる回転手段と、回転手段によって回転させた画像データに基づいて、原稿画像を表示する原稿画像表示手段とをさらに備える。
【０００８】
この発明に従うと、読取られる原稿の向きが判別され、判別された原稿の向きに基づいて読取手段から出力される画像データは回転され、表示される。これにより原稿の向きに基づいて適切な方向に原稿画像を表示することができるため、画像処理装置の使い勝手が向上する。
【００１１】
さらに好ましくは、画像処理装置は、第１画像と第２画像とを同時に表示する画像表示手段と、第１画像と第２画像の面積を算出する手段と、算出された面積を比較する比較手段と、比較手段による比較結果に基づいて、第１画像と第２画像のうち一方の画像を他方の画像に対して優先して表示するように画像表示手段を制御する制御手段とをさらに備える。
【００１２】
この発明に従うと、第１画像と第２画像の面積に基づいて表示の優先順位が制御される。これによりオペレータに対して見やすい表示を行なうことができ、画像処理装置の使い勝手が向上する。
【００１６】
【発明の実施の形態】
１．複写機の全体構成
図１は、本発明の実施の形態におけるデジタルカラー複写機の斜視図である。
【００１７】
図を参照して、デジタルカラー複写機１００は、大量の原稿を取り扱うための自動原稿送り装置２００（以下、ＡＤＦ２００と称する）と、コピー用紙を仕分けるためのソータ４００と、フィルム原稿から複写を行なうためのフィルムプロジェクタ５００と、読取られた原稿画像を表示し、オペレータからの操作指示を受け付けるスクリーンエディタ６００と、パーソナルコンピュータやＥＷＳ（ワークステーション）などを接続することによってカラープリンタとして本複写機を使用するためのプリンタコントローラ７００とを備える。
【００１８】
スクリーンエディタ６００には、原稿を読取って表示したり、オペレータへの操作指示を行なうために各種操作メニュー画面を表示するカラー液晶表示装置１１５（以下、カラーＬＣＤ１１５と称する）が含まれる。さらに、このカラーＬＣＤ１１５の上には、オペレータにより指示された座標を検出するための透明タブレット１１６（以下、ペン入力タブレット１１６と称する）が積層されており、ペン８００によるオペレータからの入力により、カラーＬＣＤ１１５上の座標をダイレクトに入力することが可能である。
【００１９】
図２は、図１のデジタルカラー複写機１００の機構を説明するための正面断面図である。なお、図２においては、図１で示したＡＤＦ２００、ソータ４００、フィルムプロジェクタ５００、スクリーンエディタ６００、プリンタコントローラ７００の図示は省略している。
【００２０】
図２を参照して、複写機は大きくはイメージリーダ３０とプリンタ２０とから構成される。以下その各々について説明する。
【００２１】
（ａ）  イメージリーダ３０について
イメージリーダ３０は、原稿を載置するための原稿台３１と、原稿の露光走査を行なうためのスキャナ３２と、原稿からの反射光を電気信号に変換するためのイメージセンサ（ＣＣＤラインセンサ）２０１と、イメージセンサ２０１からの信号を処理する画像信号処理部３３０と、画像信号処理部３３０からの信号に基づいてプリンタ２０へ画像信号を出力するプリントヘッド制御部３３５と、スキャナ３２を駆動するためのパルスモータ３５とを備える。
【００２２】
原稿台３１上に積載された原稿の画像はスキャナ３２によって露光走査され、その画像の反射光はイメージセンサ２０１により光電変換される。光電変換された信号は画像信号処理部３３０において所定の処理が施され、レーザダイオード駆動用のデジタル画像データが生成される。生成されたデジタル画像データはプリントヘッド制御部３３５へ伝送される。
【００２３】
（ｂ）  プリンタ２０について
プリンタ２０は、大きくは作像部および用紙処理部から構成される。以下その内容を説明する。作像部は、イメージリーダ３０から送られたデジタル画像データに基づいて駆動されるレーザ装置２１と、静電潜像を書込むための感光体ドラム４と、トナーによる現像を行なう現像ユニット６と、用紙の表面に画像を転写する転写ドラム１０と、感光体ドラムおよび転写ドラムを駆動するドラム駆動モータ２２とを備える。
【００２４】
プリントヘッド制御部３３５から入力されたデジタル画像データによりレーザ装置２１は駆動される。レーザ装置２１の駆動により感光体ドラム４の表面に静電潜像が形成される。静電潜像は現像ユニット６によりトナー現像され、転写ドラム１０上に保持された用紙の表面に転写される。
【００２５】
なお、このとき感光体ドラム４および転写ドラム１０はドラム駆動モータ２２によって同期して駆動される。
【００２６】
現像ユニット６は、マゼンタトナーでの現像を行なうマゼンタ現像器６Ｍと、シアントナーでの現像を行なうシアン現像器６Ｃと、イエロートナーでの現像を行なうイエロー現像器６Ｙと、ブラックトナーでの現像を行なうブラック現像器６Ｋと、その各々の現像器の上部に設けられた、現像器の各々に対応する色のトナーを供給するための４つのトナーホッパーと、現像器ユニット６の上下方向の移動を行なうための現像ユニットモータ６１とから構成される。
【００２７】
用紙処理部は、プリントのための用紙を収納する収納カセット４２〜４４と、用紙を一時的に収納する中間収納部５０と、用紙を反転させる反転装置５１とから構成される。
【００２８】
収納カセット４２〜４４のいずれかのカセットから給紙された用紙、または中間収納部５０から給紙された用紙は、搬送ローラ群により転写ドラム１０に搬送され、転写ドラム１０に巻付けられる。その後その用紙には感光体ドラム４上のトナー像が順次（最大４色分）転写される。
【００２９】
転写の行なわれた用紙は、その後転写ドラム１０から分離され、定着装置４８にて画像定着が行なわれ、排紙トレイ４９において排紙される。
【００３０】
なお、用紙の搬送時にレジストタイミングをとるためのタイミングローラ対４５と、搬送ベルト４７とが装置には設けられており、前記搬送ローラ群および搬送ベルト４７は、メインモータ４１により駆動される。
【００３１】
さらに、転写ドラム１０には、用紙先端をチャッキングするための先端チャック爪と、用紙を転写ドラム１０に静電吸着させるための吸着チャージャ１１と、用紙を押さえるための用紙押さえローラ１２と、感光体ドラム上に顕像化されているトナー像を用紙上に転写させるための転写チャージャ１４と、トナー像の転写終了後（フルカラー現像の場合には４色分のトナー像の転写終了後）に、転写ドラムを除電して用紙を分離させるための除電チャージャ１６，１７と、用紙を転写ドラムから剥離するための分離爪１８とが配設されている。
【００３２】
中間収納部５０へは、前記プリント工程を一旦終了した用紙が導入される。プリント工程を一旦終了した用紙が、排紙トレイ４９に搬送されるか、中間収納部５０へ搬送されるかは、定着処理を終えた紙の搬送経路内に配設された搬送経路切換部５３の切換により選択される。
【００３３】
搬送経路切換部５３から中間収納部５０へ向かう搬送路内には、さらに搬送経路切換部５４が配置されている。搬送経路切換部５４により、搬送されてきた用紙が反転装置５１でスイッチバック搬送された後、中間収納部５０に収納されるか、あるいは直接中間収納部５０に収納されるかが選択される。
【００３４】
この選択は中間収納部５０から給紙された用紙が、転写ドラムに再び搬送されるときに、既に印字が行なわれた用紙面と同じ面に画像が転写されるか、あるいは裏面に転写が行なわれるかを選択するために行なわれる。
【００３５】
転写ドラム１０には、さらに転写ドラムの基準位置を検出するための基準位置センサ１３と、基準位置センサを作動させるためのアクチュエータ板１３ａとが配設されている。
【００３６】
２．画像編集モード
この複写機においては、種々の画像編集が可能である。図３、図４は、モノクロ原稿（白黒原稿）およびカラー原稿に対する、編集モードを選択するための操作画面を示す図であり、これらの操作画面は、カラーＬＣＤ１１５上に表示される。ここで、図３、図４を用いて、この複写機で実行可能な各編集モードについて説明する。
【００３７】
（ａ）  モノクロ原稿に対する画像編集モード
先ず図３を参照して、モノクロ原稿に対しては、原稿色付けモード、ネガポジ反転モード（ＮＰ反転モード）、イレースモード、トリミングモード、合成モード、マーカー編集モードの各種編集モードが選択可能である。
【００３８】
各編集モードの機能は以下の通りである。
原稿色付けモード：ペン入力タブレット１１６で指定された原稿上の編集領域、あるいは、ペン入力タブレット１１６での編集領域の指定がない場合は原稿全域に対して、原稿画像（白黒原稿を前提としているので黒部分）あるいは、背景部分（白黒原稿を前提としているので白部分）を、指定した所定の色に変換して、原稿をプリントするモード。
【００３９】
ネガポジ反転モード（ＮＰ反転モード）：ペン入力タブレット１１６で指定された原稿上の編集領域、あるいは、ペン入力タブレット１１６での編集領域の指定がない場合は原稿全域に対して、ネガポジ反転処理を実行して、原稿をプリントするモード。
【００４０】
イレースモード：ペン入力タブレット１１６で指定された原稿上の編集領域内の画像を消去して、原稿画像をプリントするモード。
【００４１】
トリミングモード：ペン入力タブレット１１６で指定された原稿上の編集領域外の画像を消去して、原稿画像をプリントするモード。
【００４２】
合成モード：ペン入力タブレット１１６で指定された原稿上の２つの編集領域を合成して、１枚の用紙上にプリントするモード。
【００４３】
マーカー編集モード：オペレータが、原稿画像上の編集を施したい領域を、所定の色のカラーマーカーで囲むことによって編集領域を設定する。マーカーで囲まれた編集領域を、複写機が自動判別し、編集領域内の原稿画像に所定の編集処理を施してプリントする。カラーマーカーの色は最大８色まで使用可能であり、各色毎に、任意の編集モードを設定することができる。色毎に設定可能な編集モードとしては、原稿色付けモード、ネガポジ反転モード、イレースモード、トリミングモードがある。なお、詳細については後述するが、マーカーで指定した編集エリアの修正および追加は、ペン入力タブレット１１６によって行なうことができる。
【００４４】
（ｂ）  カラー原稿に対する画像編集モード
次に、図４を参照して、カラー原稿に対して、設定可能な各種の編集モードについて説明する。カラー原稿に対しては、前述したモノクロ原稿の場合と同様に、ネガポジ反転モード（ＮＰ反転モード）、イレースモード、トリミングモード、合成モードの設定が可能である。これらの各編集モードの機能は、カラー原稿の場合もモノクロ原稿の場合と同じである。さらに、カラー原稿に対しては、原稿色付けモードに代えて、カラー編集モードの設定が可能である。カラー編集モードの機能は以下の通りである。
【００４５】
カラー編集モード：ペン入力タブレット１１６で指定された原稿上の編集領域、あるいは、ペン入力タブレット１１６での編集領域の指定がない場合は原稿全域に対して、指定した原稿画像上の色を指定した所定の色に変換し、プリントするモード。
【００４６】
なお、カラー原稿においては、原稿画像そのものが着色されているため、カラーマーカーによる編集領域の判定が困難であることから、マーカー編集モードの設定はできない。
【００４７】
３．制御回路
図５は、画像信号処理部３３０を中心とした、図１の複写機が備える画像処理のための制御回路のブロック図である。
【００４８】
図を参照して、画像処理のための制御回路は、イメージリーダ３０と、イメージリーダ３０により取得された画像データ（ＲＧＢの各画素８ビット）を所定の単色のデータに置換えるモノカラー処理を行なうモノカラー処理部１０２と、モノカラー処理部１０２により出力された信号中の特定の色画像データを別の色画像データに置換える色変換処理を行なう色変換処理部１０３と、色変換処理部１０３より出力された信号のＮＰ（ネガポジ）反転処理を行なうＮＰ反転処理部１０４と、ＮＰ反転処理部１０４より出力された信号の一部をイレースするイレース処理部１０５と、２つの画像データを１つの画像データに合成する合成処理部１０６と、その他の画像処理を行なうための画像処理部１０７とを備え、画像処理部１０７より出力された画像データは、プリンタ２０に出力されプリントされる。
【００４９】
また、原稿を読取ってカラーＬＣＤ１１５に表示し、編集を行なうためのブロックとして、イメージリーダ３０より出力された画像データの２値化処理を行なう２値化処理部１０８と、２値化処理された画像データの明度のヒストグラムを作成することにより、入力された画像がカラー画像であるかモノクロ画像であるかを判別するカラー／モノクロ判別部１２０と、カラー／モノクロ判別部１２０を介して出力された画像データをブラック、レッド、グリーンおよびブルーの各々の色による画像データに分割して記憶する４面分のメモリからなる原稿読取メモリ１０９と、合成のためのに画像データを一時的に記憶する合成用の画像メモリ１３０と、読取られた画像および出力される画像の制御を行なう制御ＣＰＵ１１０と、カラーＬＣＤ１１５に表示される内容を記録する表示用メモリ１１４と、カラーＬＣＤ１１５と、カラーＬＣＤ１１５上に積載されたペン入力タブレット１１６と、画像データの編集のために用いられる８画面分のメモリより構成される編集メモリ１１７と、ワーキングエリアを構成する２画面分のメモリよりなるワークメモリ１１８と、編集メモリ１１７に記録されたデータに基づいてモノカラー処理部１０２、色変換処理部１０３、ＮＰ反転処理部１０４、イレース処理部１０５、合成処理部１０６のいずれを有効とするかを制御する編集機能デコーダ１１９とを備える。
【００５０】
制御ＣＰＵ１１０は、カラーＬＣＤ１１５に対して読取られた原稿画像を表示するために画像を縮小する画像縮小処理部１１１と、ペン入力タブレット１１６より入力された座標データに基づいて編集機能を設定する編集機能設定処理部１１２と、同じく入力された座標データに基づいて編集を行なう領域の描画処理を行なう描画処理部１１３とを含む。
【００５１】
なお、画像縮小処理部１１１、編集機能設定処理部１１２、描画処理部１１３は、制御ＣＰＵ１１０が実行するプログラムの各機能を処理部として表したもので、制御ＣＰＵ１１０が、各処理部に対応して、各機能を達成するための専用のハードロジック回路を有しているものではない。
【００５２】
４．制御回路の処理の流れ
続いて図５に示されるブロックにおける処理の流れを説明する。処理の流れは大きく２つあり、１つは原稿を読取ってカラーＬＣＤ１１５に表示する処理の流れであり、もう１つは読取られた画像データをプリンタ２０によりプリントする処理の流れである。
【００５３】
原稿表示処理においては、イメージリーダ３０により読取られた画像データは、２値化処理部１０８、カラー／モノクロ判別部１２０、原稿読取メモリ１０９、制御ＣＰＵ１１０、表示用メモリ１１４を介してカラーＬＣＤ１１５上に表示される。
【００５４】
一方、プリント処理においては、イメージリーダ３０より読取られた画像データは、モノカラー処理部１０２、色変換処理部１０３、ＮＰ反転処理部１０４、イレース処理部１０５、合成処理部１０６および画像処理部１０７を介してプリンタ２０に出力される。
【００５５】
（ａ）  原稿画像の表示
次に原稿表示処理における処理の流れについて詳述する。
【００５６】
原稿表示処理においてイメージリーダ３０より出力されたデジタル画像データは、２値化処理部１０８により２値化処理される。イメージリーダ３０より出力されるデジタル画像データはＲ、Ｇ、Ｂの各画素８ビット、４００ＤＰＩのフルカラー画像データである。これらのデータを、そのままメモリに格納するには膨大なメモリ容量が必要となる。したがって、イメージリーダ３０より出力されたデジタル画像データは、２値化処理部１０８において２値化され、かつ解像度も４００ＤＰＩから１００ＤＰＩへ下げられる。これにより情報量の削減が行なわれる。
【００５７】
次に２値化されたデータは、カラー／モノクロ判別部１２０に入力される。
カラー／モノクロ判別部１２０においては、原稿の全画素の明度ヒストグラムと原稿中の無彩色画素の明度ヒストグラムとが算出される。この２種類のヒストグラムにもとづいて、原稿画像がカラーであるかモノクロであるかが判別される。カラー／モノクロ判別部１２０で行なわれる処理の詳細については後述する。
【００５８】
カラー／モノクロ判別部１２０より出力された画像データは、原稿読取メモリ１０９に格納される。原稿読取メモリ１０９は、ブラック、レッド、グリーンおよびブルーの４プレーン（４面）の構成から成り立っている。原稿がカラー原稿である場合、読取った原稿の画像データが、レッド、グリーンおよびブルー毎に各メモリに格納される、原稿が、モノクロ原稿である場合には、ブラック用のメモリに画像データが格納される。但し、先に説明したように、マーカー編集によってカラーマーカーによって編集領域を指定された原稿の場合、モノクロ原稿であっても、レッド、グリーン、ブルーのメモリが使用される。
【００５９】
つまり、マーカー編集モードでは、カラーマーカーで編集領域の指定のために描かれたカラーマーカーの像に対応する画像データが、レッド、グリーン、ブルーのメモリに格納される。ここで記憶される画像データは、あくまでもカラーマーカーの像に対応するもので、カラーマーカーで指定された編集領域の原稿画像の画像データではない。カラーマーカーとしては、レッド、グリーン、ブルーおよび、これらの組合せによって表される計８色が使用可能であり、マーカーの色に応じて、レッド、グリーン、ブルーのいずれか１つ、あるいは、複数のメモリが組合されて使用される。
【００６０】
次に、画像読取メモリ１０９内に記憶された画像データは、制御ＣＰＵ１１０の内部にある画像縮小処理部１１１に送られ、さらに解像度が下げられる。原稿読取メモリ１０９内の画像データが１００ＤＰＩの解像度を持つのに対し、カラーＬＣＤ１１５上での表示は３０〜５０ＤＰＩ程度（この解像度は表示する大きさによって異なる）であるので、さらなる画像縮小が必要となるため、ここで解像度が下げられる。
【００６１】
画像縮小処理部１１１により縮小された画像データは表示用メモリ１１４に格納される。表示用メモリ１１４に格納された画像データは直接カラーＬＣＤ１１５へ表示される。
【００６２】
カラーＬＣＤ１１５上にはペン入力タブレット１１６が積層されている。ペン入力タブレット１１６上でオペレータはペン入力を行なうことにより、操作メニュー選択や編集領域の指定などを簡単に行なうことが可能である。
【００６３】
この操作メニューの選択や編集領域の設定などのオペレータによる操作は制御ＣＰＵ１１０により処理される。
【００６４】
そして、ペン入力タブレット１１６より入力される座標データに基づいて、操作メニュー画面が連続してカラーＬＣＤ１１５に表示されることにより、対話形式でオペレータは各種設定を行なうことが可能である。また、階層的に構成された複数の操作メニューを連続してカラーＬＣＤ１１５上に出力することにより、操作者は所望のモードを選択することが可能である。
【００６５】
オペレータによりペン入力タブレット１１６を介して入力された画像編集のための指示（画像編集モード設定、編集領域の設定など）が確定すると、それらの指示は制御ＣＰＵ１１０に含まれる編集機能設定処理部１１２および描画処理部１１３により処理される。
【００６６】
編集機能設定処理部１１２は、オペレータ操作によって確定した画像編集モードに応じて、モノカラー処理部１０２、色変換処理部１０３、ＮＰ反転処理部１０４、イレース処理部１０５および合成処理部１０６に対して設定信号を出力し、これらの処理部を能動化する。これによりイメージリーダ３０より入力されたデジタル画像データに対して各種処理が選択的に行なわれることとなる。
【００６７】
具体的には、原稿色付けモードが設定されている場合にはモノカラー処理部１０２を、ネガポジ反転モードが設定されている場合にはＮＰ反転処理部１０４を、イレースモードあるいはトリミングモードが設定されている場合にはイレース処理部１０５を、合成モードが設定されている場合には合成処理部１０６を、カラー編集モードが設定されている場合には色変換処理部１０３を能動化する。なお、マーカー編集モードが設定されている場合には、マーカー編集モードにおける、各マーカー色に応じて、モノカラー処理部１０２、ＮＰ反転処理部１０４、イレース処理部１０５のいずれか１つあるいは複数が能動化される。
【００６８】
一方、描画処理部１１３ではオペレータ操作によって確定した編集領域（マーカーによる指定およびペン入力タブレット１１６による指定で確定した編集領域）を判別する処理が行なわれる。
【００６９】
具体的には、描画処理部１１３は、編集メモリ１１７とワークメモリ１１８とを用いて画像の編集領域の設定を行なう。編集メモリ１１７は８面のメモリにより構成されており、設定された編集モード毎に対象となる編集領域の情報が、各面のメモリに記憶される。メモリには、マーカーあるいはペン入力タブレット１１６で指定された編集領域内を塗りつぶした図形として、編集領域が記憶される。すなわち編集メモリ１１７に記録された塗りつぶされた図形の部分のみが設定された編集モードによる編集の対象となる。
【００７０】
編集機能デコーダ１１９は編集メモリ１１７に記録された図形に基づくエリア信号を入力し、これに基づいて、設定された編集領域に対応する画像データがイメージリーダ３０より出力されるタイミングにおいて、モノカラー処理部１０２、色変換処理部１０３、ＮＰ反転処理部１０４およびイレース処理部１０５に有効信号を出力する。これによって、先に説明した編集機能設定処理部１１２によって能動化された処理部が、編集領域の画像データに対して、所定の画像処理を施すことになる。
【００７１】
２面からなるワークメモリ１１８は編集メモリ１１７に対して描画処理を行なうときの作業用メモリとして使用される。
【００７２】
画像処理されたデータはプリンタ２０により、電子写真方式によって、用紙上にプリントされる。
【００７３】
５．マーカー編集の具体例
次に、マーカー編集モードにおける編集の具体例をあげて、前述の制御回路の動作を説明する。
【００７４】
たとえば、オペレータが、マーカー編集モードにおいて、レッドのマーカーで囲まれた編集領域に対して、ネガポジ反転モードを、グリーンのマーカーで囲まれた編集領域に対して、原稿色付けモードを、ブルーのマーカーで囲まれた編集領域に対して、イレースモードを設定し、図６Ａで示すように、原稿にレッドＲ、グリーンＧ、ブルーＢのマーカーでマーキングをしたと仮定する。
【００７５】
この原稿はイメージリーダ３０により読取られ、２値化処理部１０８において２値化された後、カラー／モノクロ判別部１２０を介して原稿読取メモリ１０９に格納される。
【００７６】
このとき原稿読取メモリ１０９内では図６Ｂに示されるように、ブラックのデータを記録する面２０１においては、原稿の白黒部分のみのデータが格納される。
【００７７】
これに対して、レッドＲ、グリーンＧおよびブルーＢの各々のデータを記録する面においては、符号２０２〜２０４に示されるように、原稿に付されたマーカーの色に対応した部分の画像のみが記録される。
【００７８】
これら原稿読取メモリ１０９に格納された原稿画像は、制御ＣＰＵ１１０を介して表示用メモリ１１４に転送され、カラーＬＣＤ１１５に表示されることとなる。
【００７９】
このとき、オペレータにおける設定やあるいは装置による自動設定によって、読取られた原稿をそのまま表示するか、あるいはマーカーの指示により画像処理が行なわれた後の画像を表示するかの何れかが選択される。
【００８０】
より詳しくは、図７Ａを参照して、マーカーにより記入された図形を原稿画像と併せてそのまま表示するモード（マーカー位置表示モード）が選択されている場合には、符号２０５に示されるように読取られた原稿画像と同じ画像がカラーＬＣＤ１１５上には表示される。
【００８１】
これに対して、マーカーの指示による画像処理の効果を表示するモード（画像処理が行なわれた後を表示するモード）が選択されている場合にあっては、符号２０７に示されるようにマーカーの色およびその記入位置をもとに各編集領域に画像編集処理が行なわれた後の画像が表示されることになる。
【００８２】
なお符号２０５に示されるマーカー位置表示モードにおける画面が表示されている状態で、ペン入力タブレット１１６を介してオペレータはさらに表示されている画面に対してマーカーによる記入を行なうことも可能である。
【００８３】
たとえば、図７Ａの符号２０５に示されている状態から、オペレータはペン入力タブレット１１６を介して符号２０６に示されるように新たに編集領域１および編集領域２を追加することが可能である。
【００８４】
すなわちカラーＬＣＤ１１５を介してオペレータは画像処理が行なわれる前の状態、および画像処理が行なわれた後の状態を知ることができ、さらには画像処理のためのマーカーによる記入をペン入力タブレット１１６から直接行なうことができ、これにより装置の使い勝手は向上する。
【００８５】
編集メモリ１１７内の各々の面にはオペレータのマーカーによる記入やペン入力タブレット１１６からの入力により設定された、編集領域を示す図形が格納される。
【００８６】
たとえば図７Ａの符号２０６に示されるような編集領域が設定されている場合を想定する。
【００８７】
このとき、図７Ｂを参照して、編集メモリの第１面２０８にはモノクロ原稿に記入されたレッドマーカーで囲まれた編集領域Ｒがその領域の内部が塗りつぶされた状態で格納される。
【００８８】
同様に編集メモリ内の第２面２０９および第３面２１０には、それぞれグリーンマーカーで囲まれた編集領域Ｇ、およびブルーマーカーで囲まれた編集領域Ｂがその内部を塗りつぶされた状態で格納される。
【００８９】
また編集メモリの第４面２１１には、ペン入力タブレット１１６より入力された編集領域１が、その内部が塗りつぶされた状態で格納され、編集メモリの第５面２１２には、ペン入力タブレット１１６より入力された編集領域２が、その内部が塗りつぶされた状態で格納される。
【００９０】
編集機能デコーダ１１９はこれらの編集メモリに格納された内部が塗りつぶされた領域を認識することにより、画像処理を行なう領域を識別し、各処理部１０２〜１０６に信号を出力する。
【００９１】
６．フローチャートに基づく制御手順の説明
（ａ）  メインルーチン
次に、図５の制御回路が実行する編集処理の手順を、図８のフローチャートに基づいて説明する。
【００９２】
先ず、ステップＳ１において、編集モードを設定するための操作メニュー画面をカラーＬＣＤ１１５に表示するための表示切換サブルーチンが実行される。ここでの処理については、図９を用いて後で詳細に説明する。
【００９３】
次に、ステップＳ２において、ステップＳ１で選択された編集モードを判別し、各編集モードに対応した処理に分岐する。
【００９４】
編集モードとして、原稿色付けモードが選択された場合には、ステップＳ３〜Ｓ７の処理が実行される。具体的には、ステップＳ３において、プレスキャンによって読取った原稿画像がカラーＬＣＤ１１５に表示され、表示内容をオペレータが確認して、必要に応じて、編集領域の修正、追加を行なう。この処理により編集領域が確定し、オペレータがスタートキーを押下すると、本スキャンが実行され原稿の読取が開始される。読取が終了したことがステップＳ４で判定されると、ステップＳ５において、前述したように編集領域の画像データに対して、モノカラー処理部１０２が画像処理を施し、原稿画像を所定の色に変換する。その後、引き続いて、ステップＳ６においてプリント処理が実行され、色付けがなされた原稿画像がプリンタ３０によって用紙上にプリントされる。ステップＳ７で、プリントの終了が判定されると、次の複写に備えて再び、ステップＳ１の処理に戻る。なお、ステップＳ３で実行される原稿表示処理サブルーチンについては、図１４を用いて、後で詳細に説明する。
【００９５】
編集モードとして、マーカー編集モードが選択された場合には、ステップＳ８〜Ｓ１４の処理が実行される。具体的には、ステップＳ８において、プレスキャンによって読取った原稿画像をカラーＬＣＤ１１５に表示するか否かを判定するためのマーカー編集表示切換サブルーチンを実行し、ステップＳ９、Ｓ１０において、その判定結果に応じて原稿画像をカラーＬＣＤ１１５に表示する。なお、ステップＳ８のマーカー編集表示切換サブルーチンについては、図１６を用いて、後で詳細に説明する。また、ステップＳ１０で示される原稿表示処理サブルーチンについては、先に説明のステップＳ３と同様に処理を行なうものであり、図１４を用いて、後で詳細に説明する。原稿画像がカラーＬＣＤ１１５に表示されると、表示内容をオペレータが確認して、必要に応じて、編集領域の修正、追加を行なう。この処理により編集領域が確定し、オペレータがスタートキーを押下すると、本スキャンが実行され原稿の読取が開始される。読取が終了したことがステップＳ１１で判定されると、ステップＳ１２において、前述したようにマーカーあるいはペン入力タブレット１１６で設定された編集領域の画像データに対して、処理部１０２〜１０５が選択的に画像処理を施し、マーカー色毎に設定された画像編集が実行される。その後、引き続いて、ステップＳ１３においてプリント処理が実行され、プリンタ３０によって画像編集がなされた原稿画像が用紙上にプリントされる。ステップＳ１４で、プリントの終了が判定されると、次の複写に備えて再び、ステップＳ１の処理に戻る。
【００９６】
編集モードとして、合成モードが選択された場合には、ステップＳ１５〜Ｓ１８の処理が実行される。具体的には、ステップＳ１５において、読取った２つの原稿画像がカラーＬＣＤ１１５に表示され、オペレータがペン入力タブレット１１６を用いて表示された２つの原稿画像を表示画面上で移動させ、合成位置を確定する。この処理により合成位置が確定し、オペレータがスタートキーを押下すると、ステップＳ１６において、合成用画像メモリ１３０および原稿読取メモリ１０９から画像データが読出され、合成処理部１０６で２つの原稿画像が合成される。その後、引き続いて、ステップＳ１７においてプリント処理が実行され、プリンタ３０によって合成画像が用紙上にプリントされる。ステップＳ１８で、プリントの終了が判定されると、次の複写に備えて再び、ステップ１の処理に戻る。なお、ステップＳ１５で実行される合成原稿読取サブルーチンについては、図２３を用いて、後で詳細に説明する。
【００９７】
編集モードとして、ネガポジ反転モード、イレースモード、トリミングモードが選択された場合には、先に説明した原稿色付けモードの場合（ステップＳ３〜Ｓ７）と同様の手順で処理がなされる。但し、ステップＳ５に対応する処理において、各編集モードに対応した編集処理がなされることになる。ここでは、これらの処理は、ステップＳ１９〜２３で、その他の編集処理モードとしてまとめて図示するに留める。
【００９８】
（ｂ）  表示切換サブルーチン
図９は、図８のステップＳ１で示した表示切換サブルーチンを示すフローチャートである。この表示切換サブルーチンにおいては、図３のカラー／モノクロ判別部１２０において、読取られた原稿画像が写真等のカラー原稿であるか、文字画像等のモノクロ原稿であるかを判別し、その判別結果に応じて、表示される編集モードを選択するための操作画面を切換える。
【００９９】
具体的には、ステップＳ２０１において、イメージリーダ２０によるプレスキャンが実行され、原稿の画像データが出力される。
【０１００】
ステップＳ２０２において、原稿がカラー原稿であるか否かの判断が、カラー／モノクロ判別部１２０によって行なわれ、カラー原稿であると判別されたとき（ステップＳ２０３でＹＥＳ）は、ステップＳ２０４で、カラーＬＣＤ１１５上にカラー原稿編集用の操作画面（図４）が表示される。
【０１０１】
ステップＳ２０２で原稿がカラー原稿でないと判断されたとき（ステップＳ２０３でＮＯ）は、ステップＳ２０５で、カラーＬＣＤ１１５上にモノクロ原稿用の操作画面（図３）  が表示される。
【０１０２】
つまり原稿がカラー原稿であるかあるいはモノクロ原稿であるかに基づき、表示される編集モード選択のための操作画面が自動的に切換えられる。これにより、オペレータのモード選択の手間を軽減することができる。ステップＳ２０６でオペレータにより指定されたモードを選択する。
【０１０３】
なお、操作画面の自動切換を行なうか否かを操作パネルにより選択できるようにしてもよい。たとえばオペレータの機能設定などにより、この選択が行なわれることにより、オペレータの好みに応じた複写機の動作が可能となる。
【０１０４】
ここで、ステップＳ２０２で示したカラー／モノクロ判別について説明する。原稿がカラー原稿であるかまたはモノクロ原稿であるかは、前述したように図５のカラー／モノクロ判別部１２０により判定される。
カラー／モノクロ判別部１２０は２つのヒストグラムを記録するヒストグラムメモリを有する。図１０を参照して、ヒストグラムの１つは読取られた画像データの中に含まれるすべての画素の明度のヒストグラムｈ１（ｎ）であり、もう１つは読取られた画像データの中に含まれる無彩色画素の明度ヒストグラムｈ２（ｎ）である。
【０１０５】
なお、ｎの値は画素の明度を示し、０から２５５の値をとり得る。ｎが０である画素はもっとも明度の低い画素であり、ｎが２５５である画素は最も明度の高い画素である。
【０１０６】
すなわちヒストグラムのｈ１（ｎ）の値としては、ｎの明度を有する画素の数が記録される。
【０１０７】
またヒストグラムｈ１（ｎ）からヒストグラムｈ２（ｎ）の値を減算することにより、図１１に示される原稿に含まれる有彩色の画素の明度ヒストグラムｈ３（ｎ）が作成される。
【０１０８】
画像データに含まれる画素の１つが有彩色画素であるか、無彩色画素であるかはその画素の有する色データであるＲデータ、ＧデータおよびＢデータのうちの最大値と最小値とを識別し、その最大値から最小値を減算した値に基づいて判定される。この減算した値が所定値（ＳＲＥＦ）以下であればその画素は無彩色画素であると判定され、無彩色画素の数のみがヒストグラムｈ２（ｎ）に記録される。
【０１０９】
これらのヒストグラムに基づいて、以下の式（１）から原稿内の下地（白）領域を構成する画素数Ｗｎ、白黒の中間調（グレー）領域の画素数Ｍｎ、黒領域の画素数Ｂｎ、カラー領域の画素数Ｃｎおよびすべての画素の明度ヒストグラムの総度数和Ｓｎ（原稿サイズ内の総画素数を示す）が算出される。
【０１１０】
【数１】
0003562174.tif 000002
【０１１１】
なお、式（１）においてμ１は無彩色画素を明度により白画素と中間調画素とに分けるためのしきい値を示し、μ２は無彩色画素を中間調画素と黒画素とに分けるためのしきい値を示す。
【０１１２】
またｂ１，ｂ２は無彩色画素に含まれない画素のうち、画素をカラー領域の画素とみなすための明度の上限値と下限値とを示す。
【０１１３】
図１２は、前記変数Ｗｎ、Ｍｎ、ＢｎおよびＣｎのカウント対象となる、明度と色相により作られる領域を示した図である。
【０１１４】
図を参照して、横軸は画素の有する色データであるＲデータ、ＧデータおよびＢデータのうちの最大値と最小値の差を示し、縦軸は画素の明度を示す。
【０１１５】
画素が有彩色であるか無彩色であるかは、横軸のしきい値ＳＲＥＦの値で区切られる。
【０１１６】
しきい値ＳＲＥＦで区切られた無彩色の領域（図面左側の領域）に属する画素のうち、明度μ１とμ２とを境界として、白画素、グレー画素および黒画素が識別される。
【０１１７】
また、有彩色の領域にある画素のうち、明度がｂ２からｂ１の範囲にある画素がカラー領域の画素であると識別される。
【０１１８】
カラー／モノクロ判別部１２０において、変数ＳｎおよびＣｎにより、原稿がモノクロ原稿であるかカラー原稿であるかが判別される。
【０１１９】
より具体的には、Ｃｎ／Ｓｎの値が基準値以下であれば、原稿はモノクロ原稿として判断され、基準値よりも大きければカラー原稿として判断される。
【０１２０】
このようにして判別された原稿の特性（カラー原稿であるかモノクロ原稿であるか）に基づいて、制御ＣＰＵ１１０は表示用メモリ１１４に書込まれるオペレータによる編集モード選択のための操作画面を切換える。
【０１２１】
（ｃ）  原稿表示処理サブルーチン
次に、図８のステップＳ３、Ｓ１０、Ｓ１９で示した原稿表示処理について説明する。
【０１２２】
原稿表示処理においては、イメージリーダ３０により原稿を読取った際に、読取られた原稿の文字の向きと、原稿の向き（原稿が縦長であるか横長であるか）を判別し、その判別結果に基づきカラーＬＣＤ１１５に表示される原稿画像の表示姿勢を変化させる。
【０１２３】
図１３を参照して、読取られる原稿の種類として、（１）に示されるポートレート原稿（縦長の原稿）と、（２）に示されるランドスケープ原稿（横長の原稿）とがある。
【０１２４】
これらの原稿の画像データが原稿読取メモリ１０９に書込まれたときに、原稿台での原稿の載置方向、すなわち、イメージリーダ３０の読取方向に対する原稿の向きによって、メモリでの原稿画像の格納状態（姿勢）は異なる。
【０１２５】
ポートレート原稿の場合、図１３（ａ）〜（ｄ）のいずれかの状態でメモリに格納され、ランドスケープ原稿の場合（ｅ）〜（ｈ）のいずれかの状態でメモリに格納されることとなる。
【０１２６】
これら原稿読取メモリ１０９に格納されたデータは、従来の複写機においては、そのままの状態でカラーＬＣＤ１１５に表示されていた。
【０１２７】
したがって、たとえば（ｃ）や（ｇ）の状態で原稿画像が表示された場合には、オペレータにとって原稿の状態を確認することが困難であり、その後の編集操作に支障をきたすこととなっていた。
【０１２８】
そこで、原稿表示処理では、文字の向きと原稿の向きとを判別し、判別結果に基づいて原稿の向きをオペレータにとって見やすいようにして表示する。
【０１２９】
具体的には、読取られた原稿がポートレートであると判定されたときには、読取られた原稿の向きがいかなる方向であっても、カラーＬＣＤ１１５に表示される原稿画像は、縦長に表示され、かつ文字の方向がオペレータに対して正立した状態で表示される。
【０１３０】
また原稿がランドスケープである場合には、読取られた原稿の向きがいかなる方向であっても、原稿画像は、カラーＬＣＤ１１５に横長に表示され、文字の方向もオペレータに対して正立した状態で表示される。
【０１３１】
図１４は、この原稿表示処理サブルーチンの処理手順を示すフローチャートである。
【０１３２】
ステップＳ３０２において、先のプレスキャンによって得られた画像データを、原稿読取メモリ１０９より読出し、原稿画像に含まれる文字の向きが判定される。文字の向きを判定する処理として、特開平４−２２９７６３号公報等に開示された技術を用いることが可能である。
【０１３３】
図１５を参照して、文字の向きとして、表示が行なわれたときオペレータに対して正立した文字となる向きを０°とし、０°の状態から左に９０°回転した状態、左に１８０°回転した状態および左に２７０°回転した状態のいずれであるかがステップＳ３０２で判断される。
【０１３４】
０°であればステップＳ３０３からの処理が行なわれ、左向き９０°、左向き１８０°または左向き２７０°のいずれかであれば、ステップＳ３０４、Ｓ３０５またはＳ３０６のそれぞれにおいて処理が行なわれる。
【０１３５】
ステップＳ３０３〜３０６の各々においては、原稿の方向がランドスケープであるかポートレートであるかが判別される。
【０１３６】
文字の向きが０°である場合に、ステップＳ３０３で原稿の方向が縦方向（ポートレート原稿）であると判定されたときには、ステップＳ３０７で原稿画像の回転は行なわれず、そのまま画像データは原稿読取メモリ１０９から読出され、表示メモリ１１４へ格納されて、原稿は縦長方向に表示される。
【０１３７】
ステップＳ３０３で原稿が横方向（ランドスケープ）であると判定されたときには、ステップＳ３０８で原稿画像の回転は行なわれず、そのまま画像データは原稿読取メモリ１０９から読出され、表示メモリ１１４へ格納されて、原稿は横長方向に表示される。
【０１３８】
ステップＳ３０４でも同様に、ポートレート、またはランドスケープに対応して、ステップＳ３０９またはＳ３１０で原稿画像の縦長または横長の表示がなされる。このとき、文字がオペレータに対して正立するように、画像データは右側へ９０°回転されて表示メモリ１１４に格納される。
【０１３９】
同様に、ステップＳ３０５、Ｓ３０６での処理の後、原稿画像はランドスケープまたはポートレートに対応して表示される。このとき文字がオペレータに対して正立するように、画像データは、右側へ１８０°あるいは２７０°回転されて表示メモリ１１４に格納される。
【０１４０】
これらの処理により、原稿画像の文字は常にオペレータに対して正立するように表示され、またランドスケープ、ポートレートに応じた原稿画像の表示を行なうことが可能となる。
【０１４１】
（ｄ）  マーカー編集表示切換サブルーチン
次に、図８のステップＳ８で示したマーカー編集表示切換サブルーチンについて説明する。図１６が、マーカー編集表示切換サブルーチンの処理手順を示すフローチャートである。
【０１４２】
まず、先に説明したように、図８のステップＳ１で表示される、編集モードの選択のための操作画面でマーカー編集モードが選択されると、図１６のステップＳ１００にて、使用するカラーマーカーの色、および、これに対する編集モードを設定するための画面がカラーＬＣＤ１１５上に表示される。
【０１４３】
図１７は、この時に表示される画面を示す図であり、この画面での操作によって、マーカーの色と、そのマーカーの色に対応した編集モードとの組合せを、オペレータが任意に選択することが可能である。
【０１４４】
図１７を参照して、オペレータは１から８の枠で囲まれたマーカーの色とその色に対応する処理のうち所望のものを任意に選択することが可能である。すなわち１から８に示された枠のそれぞれの内部においては、左側にマーカーの色を示す８種類の色が、右側には、設定可能な４種類の編集モードとカラーパレットが表示される。
【０１４５】
すなわち１から８の枠内において所望のものをオペレータが選択することにより、マーカーの色とその色に対応する編集モードとの設定を簡単に行なうことができる。
【０１４６】
たとえば、１番の枠において、オペレータが左側のマーカーの色を示す色から１色（たとえば赤）を選択し、その枠内の右側の編集モードから「トリミング」を選択することにより、赤色のマーカーに対応する処理として、トリミングが設定される。同様に２番の枠において、特定のマーカー色に対応する特定の処理を設定することができる。
【０１４７】
このとき、たとえば１番、２番の枠のそれぞれにおいて赤のマーカー色を選択し、１番の枠で「ＮＰ反転」を選択し、２番の枠で「トリミング」を選択することにより、赤のマーカー色に「ＮＰ反転」と「トリミング」の２つの機能を付与することができる。
【０１４８】
また、たとえば１番、２番の枠のそれぞれにおいて「イレース」を選択し、１番の枠で赤のマーカー色を選択し、２番の枠で青のマーカー色を選択することにより、赤のマーカー色および青のマーカー色のいずれによってもイレースの処理を実現することができる。
【０１４９】
マーカーの色数が８色であり、枠も８個用意されているので、それぞれのマーカー色に対し少なくとも１つの処理を割付けることができる。
【０１５０】
編集モードとしては、マーカー編集モードにおいて設定可能な、ネガポジ反転、トリミング、イレース、原稿色付けの各モードが表示されており、原稿色付けモードを選択した場合には、さらにその下に表示された、「背景に色を付ける」、「文字に色を付ける」のどちらか一方を選択するとともに、表示されたカラーパレットを用いて変換色を指定する。これにより、指定された原稿の背景部あるいは文字部が、指定された変換色に変換されることとなる。
【０１５１】
また、図１７に示される画面の状態から、オペレータが画面上側の「プリント」ボタンをペンにより指示することにより、現在表示されている図１７の画面の画像がプリンタ２０によってプリントされる。
【０１５２】
オペレータはこのプリント出力を見ることによって、複写機の前にいなくともどのようなマーカーによる編集の種類があるかを知ることができる。これにより机の上などでマーカーによる色付けの作業を簡単に行なうことができる。
【０１５３】
また、カラーＬＣＤ１１５上での画面表示と、実際にプリントされたハードコピーとでは微妙にマーカーの色調が異なる。通常はハードコピーの方が現実のマーカーの色に近い表示を行なうことができる。したがって、ハードコピーを参照すれば、オペレータはより現実のマーカー色に近い色とその色に対応した処理との関係を知ることができる。
【０１５４】
各マーカーの色および編集モードを設定し、その後、図１７の画面右上の「登録」の部分をペンにより指示することにより、図１８に示される画面がカラーＬＣＤ１１５上に表示される。  図１８を参照して、画面には左には、先の画面で指定した各マーカーに対する設定条件を示す画面が表示され、中央には、原稿のマーキング方法を示したサンプル例が表示され、画面右に原稿台への原稿のセット方法を示す画像が表示される。
【０１５５】
図１８の表示画面からオペレータが画面右下の「確認」の部分をペンにより指示することにより、イメージリーダ３０による原稿の読取が開始される。
【０１５６】
こうして原稿の読取が開始されると、再び図１６を参照して、ステップＳ１０１において、ＡＤＦ２００を使用して、マーキングされた原稿がプラテンにセットされたかどうかが判定される。ステップＳ１０１でＮＯであれば、ステップＳ１０２において原稿中のマーカー指定された編集領域の数が少ないかが判定される。ステップＳ１０２でＮＯであれば、ステップＳ１０３においてそのマーカー指示の色数が少ないかが判定される。ステップＳ１０３でＮＯであれば、ステップＳ１０４で、読取ったマーキングされた原稿を表示することが決定される。この決定を基に、先に説明した図８のステップＳ９、ステップＳ１０の処理で原稿画像がカラーＬＣＤ１１５上に表示される。この表示は、マーカーでの指定に対して追加、修正を可能とするために原稿画像をカラーＬＣＤ１１５に表示するものである。なお、詳しくは後で説明する。
【０１５７】
これに対して、ＡＤＦ２００を使用している場合（ステップＳ１０１でＹＥＳ）、編集領域が少ない場合（ステップＳ１０２でＹＥＳ）、マーカーの色数が少ない場合（ステップＳ１０３でＹＥＳ）は、ステップＳ１０５で表示をしないことが決定される。
【０１５８】
つまり、ＡＤＦ２００を使用する場合とは、大量の原稿をコピー出力する場合である可能性が高く、各原稿ごとにその原稿画像をカラーＬＣＤ１１５に表示していたのでは、コピーの生産性が著しく低下することから、ステップＳ１０の原稿表示処理を実行しない。
【０１５９】
また、マーカーで指定された編集領域の数あるいはマーカー色数のどちらかが少なければ、オペレータによるマーキング作業が単純であったことを意味する。その単純なマーカー指定に対して、一々原稿表示をし、追加、修正の有無を確認することは、オペレータ操作を煩わしくする。したがって、マーカーの編集領域数あるいはマーカー色数のどちらかが少ない場合には、ステップＳ１０の原稿表示処理を行なわない。
【０１６０】
図１９〜図２２は、ステップＳ１０で実行される原稿表示処理でカラーＬＣＤ１１５上に表示される画面を示す図である。ステップＳ１０での処理は、基本的には先に説明した図１４の処理と同じである。図１４の処理で、原稿画像が、原稿の向き、原稿中の文字向きに応じて、オペレータに対して正立した状態で表示されている。
【０１６１】
図１９は、最初に表示される画面を示している。図１９を参照して、画面には左に各マーカーに対する編集モードの設定状態を示す画像が表示されており、右側に読取が行なわれた原稿が表示される。
【０１６２】
なお、画面右側に表示される原稿画像は、読取られたままの原稿画像のほか、マーカーによる指定に基づいて編集処理が行なわれた結果、どのように画像が変化するかを示す画像処理後の表示を行なうことも可能である。この編集処理が行なわれた後の原稿の表示を見ることにより、オペレータはマーカー指定による編集が確実に行なわれていることを確認することができる。
【０１６３】
オペレータが原稿画像を確認した結果、その状態でコピー出力をしてよい場合には、画面右上の「ＯＫ」ボタンをペンにより指示することにより、図２０に示される画面がカラーＬＣＤ１１５上に表示される。
【０１６４】
図２０に示される画面において、オペレータはコピー枚数を入力し、スタートキーを押すことにより、イメージリーダ２０により再び原稿の読取が実行され、図８のステップＳ１１〜Ｓ１４の処理によって、マーカーによって指定された編集領域に対して、指定された編集処理が施された原稿画像のコピーを得ることができる。
【０１６５】
一方、図１９に示される画面において、オペレータが原稿の表示を確認した結果、その内容に不都合を発見し、マーカーによる指示の追加や変更などを行なう場合には、画面上側の「修正」ボタンをペンにより指示することにより、図２１に示される画面がカラーＬＣＤ１１５上に表示される。
【０１６６】
図２１を参照して、画面左には、ペン入力タブレット１１６によって、編集領域等の修正、追加を行なうためのメニューパレット３０１が表示され、中央には、現在の各マーカーの色と編集モードの対応を修正するためのメニュー３０２が表示され、右には読取られた原稿画像３０３が表示される。この画面において、オペレータはペン入力タブレット１１６のペン操作により、マーカーで設定された編集領域の修正、編集領域の追加、マーカー色に対応する編集モードの修正などを行なうことができる。
【０１６７】
なお、読取られた原稿がランドスケープである場合には、図２２に示される原稿修正画面が出力される。
【０１６８】
すなわち、メニューパレット３０１、メニュー３０２の表示位置は読取られた原稿が縦長であるか横長であるかにより変更される。
【０１６９】
このように原稿の向き、方向に対応して操作メニューなどの位置を変更して表示することにより、少しでもカラーＬＣＤ１１５上に原稿を大きく表示することが可能となる。
【０１７０】
なお、マーカーにより指定された原稿をカラーＬＣＤ１１５上に表示するか否かは、オペレータによりマニュアルで切換えるようにしても良い。
【０１７１】
（ｅ）  合成原稿読取サブルーチン
次に、図８のステップＳ１５で示した合成原稿読取サブルーチンについて説明する。
【０１７２】
ここでの処理においては、合成の対象となる読取った複数の原稿画像を、カラーＬＣＤ１１５上に表示し、表示された原稿画像を、カラーＬＣＤ１１５上でオペレータがペン入力タブレット１１６のペン操作で移動させ、２つの画像を合成する処理が実行される。このとき原稿画像の各々の面積が算出され、面積の大きさに基づいてカラーＬＣＤ１１５上での表示における表示の優先順位が決定される。たとえば、第１の原稿画像に対して、第１の原稿画像よりも小さい第２の原稿画像をペーストするような合成を行なう場合には、ペースト先の原稿（第１の原稿）とペーストする原稿（第２の原稿）をカラーＬＣＤ１１５上に表示し、両原稿の画像面積を算出する。そして、この面積の大小関係より、ペースト先の原稿画像とペーストする原稿画像を自動的に判別して、面積の小さい画像（ペーストする原稿画像）を、面積の大きい画像（ペースト先の原稿画像）よりも優先して、すなわち、原稿画像が重なった場合には面積の小さいペースとする原稿画像を上にして表示する。これは、面積の大きい画像（ペースト先の原稿画像）の上に面積の小さい画像（ペースとする原稿画像）を重ねて表示することにより、表示画面上で、ペーストする原稿画像がペースト先の原稿画像の下になり、画面上から消えてしまうことを防止するためである。これによりオペレータは面積の小さい画像を表示画面上で見失うことがなくなる。
【０１７３】
図２３は、この合成原稿読取サブルーチンの処理手順を示すフローチャートである。先ず、ステップＳ４０１の処理で２枚目の原稿の画像を読取り、読取った画像データを合成メモリ１３０に記憶する。ここで２枚目の原稿を読取るとしたのは、先に説明した図８のステップＳ１の処理で、既に１枚目の原稿が読取られて原稿読取メモリ１０９に記憶されているためである。なお、以下の説明においては、図８のステップＳ１の処理で読取った原稿を原稿Ａと称し、２枚目の原稿を原稿Ｂと称する。
【０１７４】
ステップＳ４０２において、原稿画像Ａの面積と原稿画像Ｂの面積とが算出される。ステップＳ４０３において原稿画像Ａの面積が原稿画像Ｂの面積より大きいか否かが判定される。ステップＳ４０３でＹＥＳであれば、ステップＳ４０４でカラーＬＣＤ１１５上で原稿画像Ｂは優先して表示される。一方ステップＳ４０３でＮＯであれば、ステップＳ４０５でカラーＬＣＤ１１５上で原稿画像Ａは優先して表示される。
【０１７５】
さらに詳しく、ステップＳ４０４およびステップＳ４０５の処理について説明する。図２４は、カラーＬＣＤ１１５に合成モードにおける原稿画像の表示がなされている場合を示す。
【０１７６】
この状態において、オペレータはペン等による編集操作により表示されている原稿画像３０４、３０５の各々を移動させることが可能である。
【０１７７】
図２４に示される状態から、オペレータが編集操作によって棒グラフの表示されている面積の小さい原稿画像３０５をエリア面積の大きい原稿画像３０４へと移動させることにより、２つの原稿画像が重ね合されたとき、面積の小さい原稿画像３０５が、ペーストする原稿画像であると判定されて、原稿画像３０４よりも優先して、すなわち、原稿画像３０４の上に重ねて表示される（図２５）。オペレータは、このように原稿画像を、カラーＬＣＤ１１５上で移動させ、所望の任意の位置に原稿画像をペーストする。
【０１７８】
すなわち、前記説明では、面積の小さい原稿画像３０５を移動させてペーストする場合を示したが、逆に、面積の大きい原稿画像３０４を移動させてペーストを行なうこともできる。この場合も同様に、面積の小さい原稿画像３０５が画面上では優先して表示される。
【０１７９】
こうして画面上でペーストが終了するとオペレータは、画面の右上の「ＯＫ」の表示をペンで押下する。これにより、図８のステップＳ１６の処理において、合成用画像メモリ１３０、原稿読取メモリ１０９から画像データが読出され、カラーＬＣＤ１１５で合成された画像と同じ関係になるように、読出された画像データが合成され、さらに、ステップＳ１７で合成された画像データを基にプリントが実行され、合成画像がプリントアウトされる。
【０１８０】
なお、前記説明においては、読取った原稿画像の全領域をペーストの対象とした画像合成について説明したが、図２４に示されるメニューパレット３０１を用い、読取った原稿画像の一部を領域指定し、指定された編集領域の原稿画像を合成することも可能である。この場合は、指定された原稿の編集領域の面積が比較され、この結果に基づいて、表示の優先順位が決定される。
【０１８１】
７．変形例
（ａ）  表示切換サブルーチンの変形例
図９に示した表示切換サブルーチンを、図２６に示すものに変形することも可能である。図９では、カラーかモノクロ原稿かの判別を行ない、これによって画像編集モードを選択する画面表示を切換えていたが、図２６では、文字画像か写真画像かを判定して画面表示を切換える。ここで、文字画像とは、白および黒からなる中間調画像を含まない画像を指し、写真画像とは、階調を有する画像を指す。
【０１８２】
画像に応じて選択可能な編集モードも、判別される画像の種類に応じて変更する。たとえば、文字原稿の画像編集モードとしては、指定した所望の位置にアンダーラインを引くアンダーライン編集、所望の文字列に網掛け画像を重ねる網掛け編集等を用意し、写真原稿の画像編集モードとしては、セピア調の画像に原稿画像の色調を変換するセピアコピーモード等を用意する。
【０１８３】
（ｂ）  原稿表示処理サブルーチンの変形例
図１４に示した原稿表示処理サブルーチンを、図２７に示すものに変更することも可能である。図２７においては、ステップＳ５０１で、読取った原稿の原稿サイズ、向きを判定し、判定した原稿の向きに応じてステップＳ５０２〜Ｓ５０６の処理において、常に、原稿画像をカラーＬＣＤ１１５上で、横長になるように表示する。したがって、ポートレートの原稿は、オペレータに対して原稿が倒れた状態で表示されることになる。しかしながら、カラーＬＣＤ１１５の表示画面が横長であることから、原稿画像を横長に表示することによって、表示画面を有効に使用することができ、原稿画像を大きく表示することが可能である。次に、ステップＳ５０７において、オペレータが画像を指示したかどうかを判定し、ステップＳ５０８、Ｓ５０９において、指示された回転角度に応じて、カラーＬＣＤ１１５上で、原稿画像を回転させる。これにより、ステップＳ５０２〜Ｓ５０３の処理で倒れて表示されていた原稿画像を、オペレータは、必要に応じて正立状態に表示を変更させることが可能となる。
【０１８４】
なお、ステップＳ５０７にて判断されるオペレータからの指示は、ペン入力タブレット１１６からの入力によってなされる。
【図面の簡単な説明】
【図１】本発明の実施の形態の１つにおけるデジタル複写機の外観を示す斜視図である。
【図２】図１のデジタルカラー複写機１００の機構を説明するための断面図である。
【図３】モノクロ原稿（白黒原稿）に対する編集モードを選択するための操作画面を示す図である。
【図４】カラー原稿に対する編集モードを選択するための操作画面を示す図である。
【図５】図１の複写機が備える画像処理のための制御回路のブロック図である。
【図６】マーカー編集モードにおける編集の具体例を示す第１の図である。
【図７】マーカー編集モードにおける編集の具体例を示す第２の図である。
【図８】図５の制御回路が実行する編集処理の手順を示すフローチャートである。
【図９】図８の表示切換ルーチン（Ｓ１）での処理を示すフローチャートである。
【図１０】カラー／モノクロ判別部１２０に含まれるヒストグラムメモリでのすべての画素の明度のヒストグラムｈ１（ｎ）と、無彩色画素の明度ヒストグラムｈ２（ｎ）を示す図である。
【図１１】カラー／モノクロ判別部１２０に含まれるヒストグラムメモリでの有彩色の画素の明度ヒストグラムｈ３（ｎ）を示す図である。
【図１２】画素の分類の基準について説明するための図である。
【図１３】読取られる原稿と、表示される原稿の向きとを説明するための図である。
【図１４】図８の原稿表示処理（Ｓ３、Ｓ１０またはＳ１９）での処理を示すフローチャートである。
【図１５】文字の向きを説明するための図である。
【図１６】図８のマーカー編集表示切換ルーチン（Ｓ８）での処理を示すフローチャートである。
【図１７】マーカーに対する編集内容を指定する画面を示す図である。
【図１８】マーカーで色付けが行なわれた原稿の読取を行なう画面を示す図である。
【図１９】図１８の状態から原稿が読取られた後の状態を示す図である。
【図２０】図１９の状態からオペレータがＯＫの部分を押下した状態を示す図である。
【図２１】エディタによるマーカー領域の追加修正画面を示す図である。
【図２２】読取られた原稿がランドスケープである場合のエディタによるマーカー領域の追加修正画面を示す図である。
【図２３】図８の合成原稿読取ルーチン（Ｓ１５）での処理を示すフローチャートである。
【図２４】原稿の合成処理を行なう画面を示す図である。
【図２５】図２４の状態から原稿３０５を原稿３０４の上に移動させた状態を示す図である。
【図２６】図９のフローチャートの変形例を示すフローチャートである。
【図２７】図１４のフローチャートの変形例を示すフローチャートである。
【符号の説明】
３０  イメージリーダ
１００  カラー複写機本体
１０８  ２値化処理部
１２０  カラー／モノクロ判別部
１０９  原稿読取メモリ
１１５  カラーＬＣＤディスプレイ
１１６  ペン入力タブレット
１１７  編集メモリ
２００  自動原稿送り装置
【図１】
0003562174.tif 000003
【図２】
0003562174.tif 000004
【図３】
0003562174.tif 000005
【図４】
0003562174.tif 000006
【図５】
0003562174.tif 000007
【図６】
0003562174.tif 000008
【図７】
0003562174.tif 000009
【図８】
0003562174.tif 000010
【図９】
0003562174.tif 000011
【図１０】
0003562174.tif 000012
【図１１】
0003562174.tif 000013
【図１２】
0003562174.tif 000014
【図１３】
0003562174.tif 000015
【図１４】
0003562174.tif 000016
【図１５】
0003562174.tif 000017
【図１６】
0003562174.tif 000018
【図１７】
0003562174.tif 000019
【図１８】
0003562174.tif 000020
【図１９】
0003562174.tif 000021
【図２０】
0003562174.tif 000022
【図２１】
0003562174.tif 000023
【図２２】
0003562174.tif 000024
【図２３】
0003562174.tif 000025
【図２４】
0003562174.tif 000026
【図２５】
0003562174.tif 000027
【図２６】
0003562174.tif 000028
【図２７】
0003562174.tif 000029